(57)【要約】【課題】レンズ鏡筒内で発生する微細ゴミの像が撮影画像に写り込むことを防止でき、安価に製造できるレンズ鏡筒およびこれを搭載した撮像装置を提供する。【解決手段】レンズ１１〜１３を保持するレンズホルダー１４と、レンズホルダー１４を保持するホルダー部１５ａを有するホルダーベース１５とを組み合わせることにより構成する。また、レンズホルダー１４がホルダーベース１５に対してレンズ１１〜１３の光軸ＤＮ方向（図中ＺｍまたはＺｓ方向）に移動するとき、レンズホルダー１４はホルダー部１５ａに対して摺動するよう構成する。さらに、ホルダー部１５ａは、レンズホルダー１４がホルダー部１５ａに対して摺動する部分より、レンズの光軸ＤＮ側に位置することを特徴とする。【選択図】図３
2005114969.tif 000002
【特許請求の範囲】
【請求項１】
レンズを保持するレンズホルダーと、
前記レンズホルダーを保持する保持部を有するホルダーベースとを組み合わせることにより構成し、
前記レンズホルダーが前記ホルダーベースに対して前記レンズの光軸方向に移動するとき、前記レンズホルダーは前記保持部に対して摺動するよう構成したレンズ鏡筒であって、
前記保持部は、前記レンズホルダーが前記保持部に対して摺動する部分より、前記レンズの光軸側に位置することを特徴とするレンズ鏡筒。
【請求項２】
レンズを保持し、突起状のカムフォロアを有するレンズホルダーと、
前記レンズホルダーを保持し、前記カムフォロアと係合するカム溝を有するホルダーベースとを組み合わせることにより構成し、
前記カムフォロアが前記カム溝に沿って移動することにより、前記レンズホルダーは前記ホルダーベースに対して前記レンズの光軸方向に移動するよう構成したレンズ鏡筒であって、
前記カム溝は前記ホルダーベースの外側面又は端面に形成したことを特徴とするレンズ鏡筒。
【請求項３】
前記カムフォロアは先細り形状に形成し、
前記カムフォロアの側面を前記カム溝に当接するよう前記カムフォロアを付勢する付勢手段をさらに備えることを特徴とする請求項２に記載のレンズ鏡筒。
【請求項４】
前記カムフォロアの断面形状は三角形または台形であることを特徴とする請求項３に記載のレンズ鏡筒。
【請求項５】
前記カム溝の側面は、前記カムフォロアの側面とほぼ同一の傾斜角に形成することを特徴とする請求項３に記載のレンズ鏡筒。
【請求項６】
前記カム溝の側面は、前記カムフォロアの側面の母線に当接するよう形成することを特徴とする請求項３に記載のレンズ鏡筒。
【請求項７】
請求項１〜６のいずれかに記載のレンズ鏡筒を備える撮像装置。
【発明の詳細な説明】
【技術分野】
【０００１】
本発明は、レンズ鏡筒に関し、特にレンズ移動機構を有するレンズ鏡筒に関する。また、このレンズ鏡筒を有する電子スチルカメラ等の撮像装置に関する。
【背景技術】
【０００２】
電子スチルカメラの中でも、特に、薄型タイプといわれるものは、固定焦点式レンズ鏡筒を組み込む場合が多い。また、携帯電話機に内蔵される電子スチルカメラの多くも固定焦点式レンズ鏡筒が使用されている。これらのレンズ鏡筒は、搭載する機器の携帯性から薄型化が求められる。また、高精度のマクロ機能も求められている。
【０００３】
従来のマクロ切り替え機能付き固定焦点式レンズ鏡筒の一例として、特許文献１に記載のレンズ鏡筒がある。図５にこの概略断面図を示す。レンズホルダー１１４は、予圧バネ１２２により、図中矢印Ｚｓ方向に付勢されている。このためマクロリング１２１がホルダーベース１１５のカム部１１５ｆと当接している。この状態が標準状態である。この状態からマクロリング１２１を回転させると、ホルダーベース１１５のカム部１１５ｆの形状にそってマクロリング１２１が移動する。そして、予圧バネ１２２の付勢力に抗して、レンズホルダー１１４がレンズ繰り出し方向（図中矢印Ｚｍ方向）に移動し、マクロ状態に切り替わる。
【特許文献１】特開平１０−１６１０００号公報
【発明の開示】
【発明が解決しようとする課題】
【０００４】
しかしながらこの従来技術では、カム部１１５ｆがホルダーベース１１５の内側に位置しており、繰り返しカムの摺動がなされて摩耗粉等の微細ゴミが発生していた。また、マクロリング１２１の内径部とレンズホルダー１１４の外径部が当接しレンズホルダー１１４の光軸と垂直方向の位置を規制しているが、この当接部でも繰り返し摺動がなされると摩耗粉等が発生していた。
【０００５】
そして、これらの微細ゴミが図中矢印Ｚｓ方向に位置する撮像面に付着し、その像が撮影した画像に写り込むという問題点があった。特に、近年、レンズ鏡筒と組み合わされる撮像素子（ＣＣＤ、ＣＭＯＳセンサー等）の高画素化が進むのに伴って、撮影画像への写り込みについて、微細ゴミの影響が大きくなってきている。
【０００６】
また、従来技術では予圧バネ１２２あるいはマクロリング１２１などの部品点数が多く、製造コストが高いという問題点もあった。
【０００７】
本発明は上記問題点を解決し、微細ゴミの像が撮影画像に写り込むことを防止でき、安価に製造できるレンズ鏡筒およびこれを搭載した撮像装置を提供することを目的とする。
【課題を解決するための手段】
【０００８】
上記目的を達成するために、本発明のレンズ鏡筒は、レンズを保持するレンズホルダーと、レンズホルダーを保持する保持部を有するホルダーベースとを組み合わせることにより構成する。また、レンズホルダーがホルダーベースに対してレンズの光軸方向に移動するとき、レンズホルダーは保持部に対して摺動するよう構成する。さらに、保持部は、レンズホルダーが保持部に対して摺動する部分より、レンズの光軸側に位置することを特徴とする。
【０００９】
このように、保持部は、レンズホルダーが保持部に対して摺動する部分より、レンズの光軸側に位置するため、摺動部はレンズ鏡筒の内部に位置することはなく、摺動部から発生する微細ゴミがレンズ鏡筒内部に混入することを防止できる。
【００１０】
また、本発明のレンズ鏡筒は、レンズを保持し、突起状のカムフォロアを有するレンズホルダーと、レンズホルダーを保持し、カムフォロアと係合するカム溝を有するホルダーベースとを組み合わせることにより構成する。また、カムフォロアがカム溝に沿って移動することにより、レンズホルダーはホルダーベースに対してレンズの光軸方向に移動するよう構成する。さらに、カム溝はホルダーベースの外側面又は端面に形成する。
【００１１】
このように、カム溝をホルダーベースの外側面又は端面に形成するため、カム溝での摺動部はレンズ鏡筒の内部に位置することはなく、カム溝での摺動部から発生する微細ゴミがレンズ鏡筒内部に混入することを防止できる。
【００１２】
また、本発明のレンズ鏡筒は、カムフォロアは先細り形状に形成する。そして、カムフォロアの側面をカム溝に当接するようカムフォロアを付勢する付勢手段を備えることを特徴とする。
【００１３】
このように、カムフォロアを先細り形状に形成し、カムフォロアの側面をカム溝に当接するようカムフォロアを付勢する付勢手段を備えるため、カムフォロアは、付勢方向に垂直な方向に対しても精度良く位置決めされる。そのため、カムフォロアを有するレンズホルダーもホルダーベースに対して精度良く位置決めされる。そうすると、レンズの位置が精度良く保たれるため、ピントずれのない撮影画像を得ることができる。また、予圧を与えるバネや、別部材のマクロリング等を設ける必要がなく、簡単な構成でレンズ鏡筒を得ることができるため、レンズ鏡筒の製造コストを安価にできる。
【００１４】
また、本発明のレンズ鏡筒は、カムフォロアの断面形状は三角形または台形であることを特徴とする。
【００１５】
また、本発明のレンズ鏡筒は、カム溝の側面は、カムフォロアの側面とほぼ同一の傾斜角に形成することを特徴とする。このように、カム溝の側面をカムフォロアの側面とほぼ同一の傾斜角に形成するため、カム溝の側面とカムフォロアの側面との接触部分を多くすることができるので、これらにかかる応力を小さくでき、カム溝およびカムフォロアの摺動による磨耗を小さくすることができる。従って、カム溝とカムフォロアとの摺動部での磨耗による微細ゴミの発生を抑制できる。
【００１６】
また、本発明のレンズ鏡筒は、カム溝の側面は、カムフォロアの側面の母線に当接するよう形成することを特徴とする。このように、カム溝の側面は、カムフォロアの側面の母線に当接するため、カム溝の側面とカムフォロアの側面との接触部分を多くすることができるので、これらにかかる応力を小さくでき、カム溝およびカムフォロアの摺動による磨耗を小さくすることができる。従って、カム溝とカムフォロアとの摺動部での磨耗による微細ゴミの発生を抑制できる。
【００１７】
また、本発明の撮像装置は、本発明のレンズ鏡筒を備える。このため、本発明に係る撮像装置は、微細ゴミの像の写り込みのない、きれいな画像を撮像できる。
【発明の効果】
【００１８】
以上のように本発明によれば、微細ゴミの像が撮影画像に写り込むことを防止でき、安価に製造できるレンズ鏡筒およびこれを搭載した撮像装置を提供することができる。
【発明を実施するための最良の形態】
【００１９】
以下、本発明の実施の形態を図面に基づいて説明する。
【００２０】
本発明の実施の形態に係るレンズ鏡筒３０は、図１に示すように、レンズホルダー１４とホルダーベース１５とを組み合わせることにより構成される。また、レンズ鏡筒３０を有するカメラ（図示省略）は、撮像モードを標準モードとマクロモードとで切り換え可能である。ここで、標準モードとは、カメラから通常の距離に位置する被写体を撮影するモードであり、マクロモードとは、カメラから近い距離（数十センチメートル以内）に位置する被写体を撮影するモードである。
【００２１】
このような本発明の実施の形態に係るレンズ鏡筒３０およびカメラの構成について以下説明する。図１は、本発明の実施の形態に係るレンズ鏡筒３０の分解斜視図である。また、図２に、レンズホルダー１４の背面から見た斜視図を示す。
【００２２】
レンズホルダー１４は円筒状に形成する。図１および図２に示すように、レンズホルダー１４は、係合部１４ａ、カムフォロア１４ｂ、レバーボス１４ｃ、弾性アーム部１４ｄおよびレンズ保持部１４ｆを備える。レンズホルダー１４は、これらの部位とともにプラスチック等により一体成形される。
【００２３】
係合部１４ａは、後述するレンズ１１〜１３の光軸を中心にして円管状に形成する。弾性アーム部１４ｄは、アーム状の部位であり、係合部１４ａの外側面の３箇所に設ける。弾性アーム部１４ｄは薄肉に形成する。弾性アーム部１４ｄは、係合部１４ａからアーム状に突出し薄肉であるため、容易に弾性変形することができる。弾性アーム部１４ｄは、弾性変形可能であることから、レンズホルダー１４とホルダーベース１５とを組み合わせたとき、先端に設けられたカムフォロア１４ｂをホルダーベース１５方向（光軸ＤＮに向う方向）に付勢するよう作用する。
【００２４】
それぞれの弾性アーム部１４ｄの先端にはカムフォロア１４ｂを１つずつ設ける。カムフォロア１４ｂは、突起状の部材であり、先細り形状に形成する。カムフォロア１４ｂの縦断面形状は台形である。但し、カムフォロア１４ｂは、先細り形状をしていれば良く、例えば、縦断面形状が三角形であっても良い。つまり、カムフォロア１４ｂは、側面（フォロア側面１４ｅ）が所定の傾斜角を有する突起状の部材であれば良い。
【００２５】
レバーボス１４ｃは、レンズホルダー１４とホルダーベース１５とを組み合わせたとき、レンズホルダー１４を回転させるために用いるつまみである。操作者は、レバーボス１４を直接操作するか、またはレバーボス１４に他の部材（図示省略）を当接することによって、光軸ＤＮを中心にして、レンズホルダー１４を図中矢印ＣＷ（時計周り）またはＣＣ（反時計周り）方向に回転することができる。
【００２６】
レンズ保持部１４ｆは、３枚の後述するレンズ１１〜１３を保持する。保持後のレンズ１１〜１３の光軸は３枚とも図中線分ＤＮに一致する。
【００２７】
ホルダーベース１５は、カメラ（図面省略）に固定する。ホルダーベース１５は円筒状に形成する。図１において、１５ｃ、１５ｆ、１５ｇは、それぞれホルダーベース１５の内側面、端面、外側面である。ホルダーベース１５には、ベース内側面１５ｃに沿って、ベース内側面１５ｃのベース端面１５ｆ側に、円環状のホルダー部１５ａを設ける。ホルダー部１５ａの中心は光軸ＤＮに一致するよう形成する。また、ホルダーベース１５には、ベース外側面１５ｇの３箇所にそれぞれ同一形状のカム溝１５ｂを形成する。カム溝１５ｂは、溝側面１５ｄが傾斜しており、カム溝１５ｂの開口よりも底面の方が狭くなるよう形成する。また、カム溝１５ｂは、溝側面１５ｄがカムフォロア１４ｂの側面１４ｅとほぼ同一の傾斜角になるよう形成する（後述する図３参照）。カム溝１５ｂの端部には、カムフォロア１４ｂを嵌め込むときの嵌め込み口１５ｅを形成する。
【００２８】
以上の構成のレンズホルダー１４とホルダーベース１５とを組み合わせるのは、以下のようにする。まず、レンズ１１〜１３をレンズ保持部１４ｆに固定する。次に、３箇所のカムフォロア１４ｂをそれぞれフォロア嵌め込み口１５ｅに位置合わせする。この時、ホルダー部１５ａが係合部１４ａの内径側に位置するよう合わせる。位置合わせが終わった後、レンズホルダー１４を光軸ＤＮを中心に図１に示す矢印ＣＷ方向に回転する。すると、レンズホルダー１４は、係合部１４ａがホルダー部１５ａに係合し、カムフォロア１４ｂがカム溝１５ｂに３箇所でそれぞれ係合した状態で、ホルダーベース１５に保持される。
【００２９】
図３に、レンズホルダー１４がホルダーベース１５に保持された状態における縦断面を示す。ホルダーベース１５の底部にはカバーガラス１７を設ける。これにより、ベース内側面１５ｃ、レンズホルダー１４、レンズ１３およびカバーガラス１７により構成される鏡筒内部１８は密閉されるため、鏡筒内部１８への異物の混入を防ぐことができる。
【００３０】
図示するように、ホルダーベース１５の下方にＣＣＤ１６を固定し撮像ユニットとして構成する。これにより、被写体の光学信号をレンズ１１〜１３の作用によりＣＣＤ１６上に結像することができる。
【００３１】
前述のように、レンズホルダー１４は、係合部１４ａがホルダー部１５ａに係合した状態で、ホルダーベース１５に保持される。このとき、円環状の係合部１４ａの内側面と円環状のホルダー部１５ａの外側面とが当接するよう構成する。また、係合部１４ａの内径をホルダー部１５ａの外径とほぼ同一で、かつ若干大きく構成する。これにより、レンズホルダー１４は、ホルダーベース１５に対して、図中矢印ＸＹ方向（光軸ＤＮから放射方向）にガタ無く構成でき、かつ回動自在に構成できる。レンズホルダー１４がホルダーベース１５に対して回動するとき、係合部１４ａの内径をホルダー部１５ａの外径とほぼ同一に構成するため、係合部１４ａは、ホルダー部１５ａに対して摺れながら移動する。係合部１４ａとホルダー部１５ａとが摺れるため、その摺動部１９で微細なゴミ（異物）が発生する。しかし、摺動部１９は鏡筒内部１８の外に位置するため、そこで発生するゴミは鏡筒外部に吐き出される。そのため、鏡筒内部１８が微細ゴミにより汚染されることがなく、微細ゴミがカバーガラス１７に付着することがない。従って、微細ゴミの像がＣＣＤ１６で撮像した画像に写り込むことを防止できる。
【００３２】
また、前述のように、カムフォロア１４ｂはカム溝１５ｂに係合する。カムフォロア１４ｂは先細り形状に形成されるため、フォロア側面１４ｅは光軸ＤＮの水平方向に対して所定の傾斜角を有する。カム溝１５ｂは、開口が広く、奥行きが狭く形成されている。溝側面１５ｄはフォロア側面１４ｅとほぼ同一の傾斜角になるよう形成する。換言すれば、カム溝１５ｂにカムフォロア１４ｂが係合したとき、溝側面１５ｄは、フォロア側面１４ｅの母線に沿ってカムフォロア１４ｂと当接する。また、カムフォロア１４ｂは、弾性アーム部１４ｄによってホルダーベース１５方向（光軸ＤＮに向う方向）に付勢されている。この付勢力により、カムフォロア１４ｂはカム溝１５ｂにガタ無く係合される。そして、フォロア側面１４ｅが傾斜角を有し、カムフォロア１４ｂがカム溝１５ｂにフォロア側面１４ｅで当接するため、カムフォロア１４ｂは、カム溝１５ｂに対して、光軸ＤＮ方向について位置規制される。カムフォロア１４ｂがカム溝１５ｂに対して位置規制されると、レンズホルダー１４およびホルダーベース１５はカムフォロア１４ｂおよびカム溝１５ｂとそれぞれ一体に形成されているので、レンズホルダー１４もホルダーベース１５に対してガタつきなく、精度良く位置規制される。ここで、レンズホルダー１４の位置は、ＣＣＤ１６に結像される画像のピントに大きく影響する。そのため、レンズホルダー１４をホルダーベース１５に対して光軸方向に精度良く位置規制することにより、ＣＣＤ１６に結像される画像のピントを精度良く制御することができる。
【００３３】
以上のように構成されたレンズ鏡筒３０の動作を、当該レンズ鏡筒３０を搭載したカメラが標準モードまたはマクロモードで動作するときについて説明する。
【００３４】
図４は、カムフォロア１４ｂがカム溝１５ｂに係合しているときの位置関係を示す模式図である。カム溝１５ｂは、第１の横溝１５ｈ、カム溝螺旋部１５ｆ、第２の横溝１５ｊおよびフォロア嵌め込み口１５ｅから構成される。第１の横溝１５ｈおよび第２の横溝１５ｊは、図３に示す光軸ＤＮ方向の垂直面内に形成し、それぞれ段違い（異なる垂直面内）に形成する。第１の横溝１５ｈは、第２の横溝１５ｊよりもＣＣＤ１６側に形成する。そして、カム溝螺旋部１５ｆは、第１の横溝１５ｈと第２の横溝１５ｊとを繋ぐように形成する。従って、カム溝螺旋部１５ｆは、円筒状のホルダーベース１５の外側面１５ｇ上に、光軸ＤＮ方向に対して斜めに形成されるため、螺旋状に形成されることになる。
【００３５】
このような形状のカム溝１５ｂに沿ってカムフォロア１４ｂが移動することにより、カメラは、その動作モードを標準モードとマクロモードに切り替えることができる。
【００３６】
まず、カメラが標準モードで動作するとき、カムフォロア１４ｂは、図４に示すように、第１の横溝１５ｈでカム溝１５と係合する（標準状態Ｓ）。
【００３７】
この状態から、操作者が図１に示すレバーボス１４ｃを矢印ＣＣ方向に回すと、カムフォロア１４ｂが第１の横溝１５ｈ内を移動する。カムフォロア１４ｂが第１の横溝１５ｈ内を移動している間は、レンズホルダー１４とＣＣＤ１６との距離に変化はない。
【００３８】
次に、操作者がレバーボス１４ｃを回し進めると、カムフォロア１４ｂはカム溝螺旋部１５ｆに移動する。カムフォロア１４ｂは、カム溝螺旋部１５ｆに沿って移動しているときは光軸ＤＮ方向に対して斜めに移動する。そして、レンズホルダー１４は、回動しながらＣＣＤ１６から遠ざかるように移動する。レンズホルダー１４にはレンズ１１〜１３が保持されているため、レンズ１１〜１３も同時に光軸ＤＮ方向（図３に示すＺｍ方向）に移動するため、レンズ群全体がＣＣＤ１６に対して繰り出されることになる。
【００３９】
さらに、操作者がレバーボス１４を矢印ＣＣ方向に回し進めると、カムフォロア１４ｂはカム溝螺旋部１５ｆから第２の横溝１５ｊに移動する（マクロ状態Ｍ）。すると、レンズホルダー１４は回動するだけで、レンズホルダー１４とＣＣＤ１６との距離は変化しなくなる。この状態で、カメラはマクロモードでの動作が可能になる。すなわち、この状態で近くの被写体を撮影すると、その被写体にピントが合うよう動作できるのである。
【００４０】
以上のようにして、カメラの動作を標準モードからマクロモードに切り替えることができる。また、逆に、マクロモードから標準モードに切り替えるには、以上の動作の逆をすれば良い。すなわち、操作者は、カムフォロア１４ｂが第２の横溝１５ｊに係合している状態（マクロ状態Ｍ）において、カムフォロア１４ｂが第１の横溝１５ｈに移動する（標準状態Ｓ）まで、レバーボス１４ｃを図１に示す矢印ＣＷ方向に回せば良い。
【００４１】
以上のように、本発明の実施の形態によれば、ホルダー部１５ａは、レンズホルダー１４がホルダー部１５ａに対して摺動する部分より、レンズ１１〜１３の光軸ＤＮ側に位置するため、摺動部はレンズ鏡筒３０の内部１８に位置することはなく、摺動部１９から発生する微細ゴミがレンズ鏡筒内部１８に混入することを防止できる。
【００４２】
また、本発明の実施の形態によれば、カム溝１５ｂをホルダーベース１５の外側面１５ｇ又は端面１５ｆに形成するため、カム溝１５ｂでの摺動部はレンズ鏡筒３０の内部１８に位置することはなく、カム溝１５ｂでの摺動部から発生する微細ゴミがレンズ鏡筒内部１８に混入することを防止できる。
【００４３】
また、本発明の実施の形態によれば、カムフォロア１４ｂは先細り形状に形成し、カムフォロア１４ｂの側面１４ｅをカム溝１５ｂに当接するようカムフォロア１４ｂを付勢する弾性アーム部１４ｄを備えるため、カムフォロア１４ｂは、付勢方向に垂直な方向（図３における矢印ＺｍＺｓ方向）に対しても精度良く位置決めされる。そのため、カムフォロア１４ｂを有するレンズホルダー１４もホルダーベース１５に対して精度良く位置決めされる。そうすると、レンズ１１〜１３の位置が精度良く保たれるため、ピントずれのない撮影画像を得ることができる。
【００４４】
また、本発明の実施の形態によれば、係合部１４ａ、カムフォロア１４ｂ、弾性アーム部１４ｄ等は、レンズホルダー１４と一体にプラスチック成形されているため、予圧を与えるバネや、別部材のマクロリング等を設ける必要がなく、簡単な構成でレンズ鏡筒３０を得ることができるため、レンズ鏡筒３０の製造コストを安価にできる。
【００４５】
また、本発明の実施の形態によれば、カム溝１５ｂの側面１５ｄはカムフォロア１４ｂの側面１４ｅとほぼ同一の傾斜角に形成するため、カム溝１５ｂの側面１５ｄとカムフォロア１４ｂの側面１４ｅとの接触部分を多くすることができる。そのため、これらにかかる応力を小さくでき、カム溝１５ｂおよびカムフォロア１４ｂの摺動による磨耗を小さくすることができる。従って、カム溝１５ｂとカムフォロア１４ｂとの摺動部での磨耗による微細ゴミの発生を抑制できる。また、カムフォロア１４ｂは、カム溝１５ｂにガタなく接触することとなり、標準状態Ｓ及びマクロ状態Ｍのレンズホルダー１４の位置を高精度に定めることができる。
【００４６】
また、本発明の実施の形態によれば、カム溝１５ｂの側面１５ｄは、カムフォロア１４ｂの側面１４ｅの母線に当接するため、カム溝１５ｂの側面１５ｄとカムフォロア１４ｂの側面１４ｅとは、点接触の場合に比べて接触部分を多くすることができる。そのため、これらにかかる応力を小さくでき、カム溝およびカムフォロアの摺動による磨耗を小さくすることができる。従って、カム溝とカムフォロアとの摺動部での磨耗による微細ゴミの発生を抑制できる。
【００４７】
また、本発明の撮像装置は、本発明のレンズ鏡筒を備える。このため、本発明に係る撮像装置は、微細ゴミの像の写り込みのない、きれいな画像を撮像できる。
【００４８】
なお、本発明の実施の形態においては、レンズ群移動によるマクロ機構に関して説明したが、例えば、望遠と広角の切り替えを行う場合等、レンズ移動機構を有する場合であれば、本発明は適用できる。
【００４９】
また、本発明の実施の形態では、カム溝１５ｂをホルダーベース１５の外側面１５ｇに形成したが、端面１５ｆに形成しても良い。端面１５ｆに形成することにより、ホルダーベース１５の側部を薄肉に形成できるため、レンズ鏡筒３０をさらに小型化することができる。
【００５０】
また、ホルダー部１５ａは本発明の保持部の一例である。弾性アーム部１４ｄは本発明の付勢手段の一例である。
【産業上の利用可能性】
【００５１】
本発明にかかるレンズ鏡筒は、レンズホルダーとホルダーベースとの摺動部を鏡筒内部の外に設けるため、鏡筒内部での微細ゴミを削減でき、きれいな画像を得ることができる。そのため、電子スチルカメラやカメラ付き携帯電話機等の撮像機能を有する電子機器に適用できる。
【図面の簡単な説明】
【００５２】
【図１】本発明の実施の形態におけるレンズ鏡筒の分解斜視図
【図２】本発明の実施の形態におけるレンズホルダーの背面から見た斜視図
【図３】本発明の実施の形態におけるレンズ鏡筒の縦断面図
【図４】本発明の実施の形態におけるカム溝の構成を示す模式図
【図５】従来のレンズ鏡筒の断面図
【符号の説明】
【００５３】
１１、１２、１３    レンズ
１４    レンズホルダー
１４ａ    係合部
１４ｂ    カムフォロア
１４ｃ    レバーボス
１４ｄ    弾性アーム部
１４ｅ    フォロア側面
１４ｆ    レンズ保持部
１５    ホルダーベース
１５ａ    ホルダー部
１５ｂ    カム溝
１５ｄ    溝側面
１５ｆ    ベース端面
１５ｇ    ベース外側面
１６    ＣＣＤ
１８    鏡筒内部
１９    摺動部
３０    レンズ鏡筒
【図１】
2005114969.tif 000003
【図２】
2005114969.tif 000004
【図３】
2005114969.tif 000005
【図４】
2005114969.tif 000006
【図５】
2005114969.tif 000007